【手続補正書】
【提出日】平成19年8月7日(2007.8.7)
【手続補正１】
【補正対象書類名】特許請求の範囲
【補正対象項目名】請求項７
【補正方法】変更
【補正の内容】
【請求項７】
前記吸収性繊維構造体の厚み寸法が１〜１０ｍｍであり、かつ、前記横軸の方向における前記貫通条孔の幅寸法が５〜２５ｍｍである請求項５または６に記載の吸収性パッド。
【手続補正２】
【補正対象書類名】明細書
【補正対象項目名】００１５
【補正方法】変更
【補正の内容】
【００１５】
吸収性繊維構造体の厚み寸法は、十分な量の体液を吸収することができ、なおかつ、吸収性パッドが着用者の股間に挟まれたときに着用者が不快感を覚えない程度の厚さであればよいが、１〜１０ｍｍであることが好ましく、２．５ｍｍ〜１０ｍｍであることがより好ましい。横軸の方向における貫通条孔の幅寸法は、吸収性パッドの屈曲し易さを考慮しつつ、吸収性繊維構造体の厚さ寸法に応じて適宜決定すればよいが、５〜２５ｍｍであることが好ましく、８〜１５ｍｍであることがより好ましい。吸収性繊維構造体の厚み寸法および貫通条孔の幅寸法が上述の範囲内にあると、吸収性パッドが貫通条孔で屈曲しても、貫通条孔の縁どうしが接しにくく、吸収性パッドの屈曲部位が吸収性繊維構造体の存在しない状態に保たれる。その結果、着用者の陰部に当接する部分が湿潤状態になりにくく、着用者が不快感を覚えることを効果的に防止することができる。
【手続補正３】
【補正対象書類名】明細書
【補正対象項目名】００３２
【補正方法】変更
【補正の内容】
【００３２】
トップシート１３ａは、坪量が１５〜３５ｇ／ｍ２、好ましくは２０〜２５ｇ／ｍ２の公知の熱可塑性合成繊維不織布から形成されている。熱可塑性合成繊維としては、例えば、ポリオレフィン系，ポリエステル系，ポリアミド系などの合成樹脂から製造されているものが挙げられる。
【手続補正４】
【補正対象書類名】明細書
【補正対象項目名】００３３
【補正方法】変更
【補正の内容】
【００３３】
バックシート１４ａは、坪量が１０〜３０ｇ／ｍ２、好ましくは１５〜２５ｇ／ｍ２の公知の液抵抗性熱可塑性プラスチックフィルムから形成されている。このフィルムの材料としては、例えばポリオレフィン系の合成樹脂が挙げられる。
【手続補正５】
【補正対象書類名】明細書
【補正対象項目名】００３４
【補正方法】変更
【補正の内容】
【００３４】
吸液性コア１６は、フラッフパルプと、超吸水性ポリマー粒子と、場合によっては、熱可塑性合成繊維との混合物から形成されている。高吸水性ポリマー粒子の含有率は２０〜３０％である。図示されていないが、吸液性コア１６は、型崩れ防止などの目的から、ティシュペーパなどの液拡散性シートで包括するとともに、適宜圧縮することで構成されている。
【手続補正６】
【補正対象書類名】明細書
【補正対象項目名】００３５
【補正方法】変更
【補正の内容】
【００３５】
バリヤカフ１７は、坪量が１０〜２５ｇ／ｍ２、好ましくは１５〜２０ｇ／ｍ２の公知の熱可塑性合成繊維複合不織布から形成されている。熱可塑性合成繊維としては、例えば、ポリオレフィン系，ポリエステル系，ポリアミド系などの合成樹脂から製造されているものが挙げられる。
【手続補正７】
【補正対象書類名】明細書
【補正対象項目名】００３７
【補正方法】変更
【補正の内容】
【００３７】
吸収性パッドは、縦軸１１に沿って延びる貫通条孔（第一可撓軸）２１と、貫通条孔２１の横軸１２の方向両側へ離間して縦軸１１の方向に延びる一対の条溝（第二可撓軸，第三可撓軸）２２，２３とを備えており、これら貫通条孔２１と一対の条溝２２，２３とは、前部域１５ａに独占的に位置している。すなわち、本実施形態においては、貫通条孔２１および一対の条溝２２，２３を含む吸収性パッドのおよそ縦半分が前部域１５ａであり、残りが後部域１５ｂである。
【手続補正８】
【補正対象書類名】明細書
【補正対象項目名】００３９
【補正方法】変更
【補正の内容】
【００３９】
縦軸１１の方向における貫通条孔２１の長さ寸法Ｌ１は、１２０〜１４０ｍｍ、好ましくは１２５〜１３５ｍｍであって、縦軸１１の方向における吸液性コア１６の長さ寸法Ｌのほぼ３０％である。横軸の方向における貫通条孔２１の幅寸法Ｗ１は、８〜１６ｍｍ、好ましくは１０〜１４ｍｍである。
【手続補正９】
【補正対象書類名】明細書
【補正対象項目名】００４２
【補正方法】変更
【補正の内容】
【００４２】
一対の条溝の深さ寸法Ｈ２，Ｈ３は、３〜７ｍｍ、好ましくは４〜６ｍｍである。縦軸１１の方向における一対の条溝２２，２３の長さ寸法Ｌ２，Ｌ３は、どちらも１１０〜１４０ｍｍ、好ましくは１２０〜１３５ｍｍであって、縦軸１１の方向における吸液性コア１６の長さ寸法Ｌのほぼ３０％に相当する。条溝２２，２３どうしの離間寸法Ｐは、５０〜８５ｍｍ、好ましくは６０〜８０ｍｍである。
【手続補正１０】
【補正対象書類名】明細書
【補正対象項目名】００４５
【補正方法】変更
【補正の内容】
【００４５】
吸収性パッドは、従来公知の技術により製造することができる。貫通条孔２１は、吸液性コア１６の成形過程で、所定のパターンを形成している金型を用い、フラッフパルプが堆積しない部分を設けることにより形成することができるが、成形後の吸液性コア１６を型抜きすることによって形成してもよい。一対の条溝２２，２３は、成形後の吸液性コア１６にエンボス処理を施すことにより形成することができるが、吸液性コア１６の成形過程で、所定のパターンを形成している金型を用い、他の部分よりも厚みの薄い部分を設けることによって形成してもよい。
【手続補正１１】
【補正対象書類名】明細書
【補正対象項目名】００４７
【補正方法】変更
【補正の内容】
【００４７】
図４は、この発明の第二実施形態に係る吸収性パッドの図２相当断面図である。この第二実施形態に係る吸収性パッドにおいては、第一実施形態に係るそれと同じ主要な部材，部位にはそれぞれ１００を加えた数の符号を付して、その説明を省略してある。
【手続補正１２】
【補正対象書類名】明細書
【補正対象項目名】００４８
【補正方法】変更
【補正の内容】
【００４８】
第二実施形態に係る吸収性パッドが第一実施形態に係るそれと異なる点は、一対の条溝１２２，１２３が、表面１１３および裏面１１４の両面から凹んでいることである。表面１１３から凹んでいる一対の条溝１２２，１２３の深さ寸法Ｈ２ａ，Ｈ３ａは、どちらも１〜２．５０ｍｍであり、裏面１１４から凹んでいる一対の条溝１２２，１２３の深さ寸法Ｈ２ｂ，Ｈ３ｂは、どちらも２〜４ｍｍである。
【手続補正１３】
【補正対象書類名】明細書
【補正対象項目名】００５１
【補正方法】変更
【補正の内容】
【００５１】
この第三実施形態に係る吸収性パッドにおいては、第一実施形態に係るそれと同じ主要な部材，部位にはそれぞれ２００を加えた数の符号を付して、その説明を省略してある。
【手続補正１４】
【補正対象書類名】明細書
【補正対象項目名】００５２
【補正方法】変更
【補正の内容】
【００５２】
第三実施形態に係る吸収性パッドが第一実施形態に係るそれと異なる点は、一対の条溝２２２，２２３が、縦軸２１１の方向に断続的に延びており、貫通条孔２２１に向かって凸となる弧を描いていることである。この場合、一対の条溝２２２，２２３の離間寸法Ｐは、条溝２２２，２２３どうしの最短距離であって、６０〜８０ｍｍである。
【手続補正１５】
【補正対象書類名】明細書
【補正対象項目名】００５５
【補正方法】変更
【補正の内容】
【００５５】
この第四実施形態に係る吸収性パッドにおいては、第一実施形態に係る吸収性パッドと同じ主要な部材，部位にはそれぞれ３００を加えた数の同じ符号を付して、その説明を省略してある。
【手続補正１６】
【補正対象書類名】明細書
【補正対象項目名】００５７
【補正方法】変更
【補正の内容】
【００５７】
図７，８に示されているように、吸収性繊維構造体３１０は、複層構造であって、上層コア３１６ａおよび下層コア３１６ｂの二層からなる吸液性コア３１６を含む。上層コア３１６ａは、縦軸３１１の方向におけるほぼ中央においてくびれた瓢箪様の外形形状を有する。一方、下層コア３１６ｂは、ほぼ矩形の外形形状を有する。上層コア３１６ａと下層コア３１６ｂとの間には、ティシュペーパなどの液吸収拡散シート３２４が介在している。この液吸収拡散シート３２４の坪量はおよそ１０〜３０ｇ／ｍ２、好ましくは１５〜２０ｇ／ｍ２である。
【手続補正１７】
【補正対象書類名】明細書
【補正対象項目名】００５９
【補正方法】変更
【補正の内容】
【００５９】
上層コア３１６ａの厚み寸法Ｈａは、２〜５ｍｍであり、下層コア３１６ｂの厚み寸法Ｈｂは、２．５〜５．５ｍｍである。上層コア３１６ａにおいて表面３１３から凹んでいる条溝３２２ａ，３２３ａの深さ寸法Ｈ２ａは、１．５〜２．５ｍｍであり、下層コア３１６ｂにおいて裏面３１４から凹んでいる条溝３２２ｂ，３２３ｂの深さ寸法Ｈ２ｂは、２〜５ｍｍである。上層コア３１６ａの表面３１３における貫通条孔３２１ａの幅寸法Ｗ１ａと下層コア３１６ｂの裏面３１４における貫通条孔３２１ｂの幅寸法Ｗ１ｂとが異なっており、幅寸法Ｗ１ａは８〜１４ｍｍであり、幅寸法Ｗ１ｂは６〜１２ｍｍである（図７参照）。上層コア３１６ａの表面３１３における貫通条孔３２１ａの長さ寸法Ｌ１ａと下層コア３１６ｂの裏面３１４における貫通条孔３２１ｂの長さ寸法Ｌ１ｂとが異なっており、長さ寸法Ｌ１ａは１１０〜１４０ｍｍであり、長さ寸法Ｌ１ｂは９０〜１２０ｍｍである（図８参照）。
【手続補正１８】
【補正対象書類名】図面
【補正対象項目名】図６
【補正方法】変更
【補正の内容】
【図６】
2006095156.tif 000001
【手続補正１９】
【補正対象書類名】図面
【補正対象項目名】図７
【補正方法】変更
【補正の内容】
【図７】
2006095156.tif 000002
【手続補正２０】
【補正対象書類名】図面
【補正対象項目名】図９
【補正方法】変更
【補正の内容】
【図９】
2006095156.tif 000003